(57)【要約】【課題】ライトユニット及び照明システムを提供すること。【解決手段】このライトユニットは、一部傾斜面を有する第１リフレクタと、第１リフレクタの両端部にそれぞれ配置される第２、第３リフレクタと、第１リフレクタと第２リフレクタとの間に配置される第１光源モジュールと、第１リフレクタと第３リフレクタとの間に配置される第２光源モジュールと、を備え、第１光源モジュールの光出射方向と第２光源モジュールの光出射方向とが互いに異なる。【選択図】図１
2013168350.tif 000002
【特許請求の範囲】
【請求項１】
第１及び第２領域を有する第１リフレクタと、
前記第１リフレクタの両端部にそれぞれ配置された第２及び第３リフレクタと、
前記第１リフレクタと第２リフレクタとの間に配置された第１光源モジュールと、
前記第１リフレクタと第３リフレクタとの間に配置された第２光源モジュールと
を備え、
前記第１光源モジュールの光出射方向と前記第２光源モジュールの光出射方向とが互いに異なる、ライトユニット。
【請求項２】
前記第１リフレクタは、
前記第１光源モジュールに隣接した第１領域と、
前記第２光源モジュールに隣接した第２領域とを有し、
前記第１領域の面積と前記第２領域の面積とが互いに異なる、請求項１に記載のライトユニット。
【請求項３】
前記第１リフレクタは、
前記第１領域と第２領域との間に第３領域を有し、
前記第３領域の面積は、前記第１及び第２領域の面積よりも小さい、請求項１または２に記載のライトユニット。
【請求項４】
前記第１領域は、
前記第１光源モジュールに隣接し、下方に傾斜した第１傾斜面と、
前記第１傾斜面に隣接し、前記第１傾斜面から上方に傾斜した第２傾斜面とを有し、
前記第２領域は、
前記第２光源モジュールに隣接し、下方に傾斜した第３傾斜面と、
前記第３傾斜面に隣接し、前記第３傾斜面から上方に傾斜した第４傾斜面とを有する、請求項１乃至３のいずれかに記載のライトユニット。
【請求項５】
前記第１傾斜面は、第１曲率半径を有する曲面であり、
前記第２傾斜面は、第２曲率半径を有する曲面であり、
前記第３傾斜面は、第３曲率半径を有する曲面であり、
前記第４傾斜面は、第４曲率半径を有する曲面である、請求項４に記載のライトユニット。
【請求項６】
前記第１曲率半径と前記第３曲率半径とが互いに異なる、請求項５に記載のライトユニット。
【請求項７】
前記第２曲率半径と前記第４曲率半径とが互いに異なる、請求項５に記載のライトユニット。
【請求項８】
前記第２曲率半径は、前記第１曲率半径よりも大きく、
前記第４曲率半径は、前記第３曲率半径よりも大きい、請求項５に記載のライトユニット。
【請求項９】
前記第１傾斜面は、曲面及び平面を有する、請求項４に記載のライトユニット。
【請求項１０】
前記第１傾斜面の平面は、前記第１光源モジュールから出射される光の指向角内に配置される、請求項９に記載のライトユニット。
【請求項１１】
前記第３領域は、凹んだ曲面、膨らんだ曲面、または扁平な平面である、請求項３に記載のライトユニット。
【請求項１２】
前記第１光源モジュールに含まれる光源の個数と前記第２光源モジュールに含まれる光源の個数とが互いに異なる、請求項１に記載のライトユニット。
【請求項１３】
前記第１光源モジュールに含まれる光源の光出力強度と前記第２光源モジュールに含まれる光源の光出力強度とが互いに異なる、請求項１または１２に記載のライトユニット。
【請求項１４】
前記第１光源モジュールの光出射方向は、前記第２リフレクタから前記第１リフレクタに向かう方向であり、
前記第２光源モジュールの光出射方向は、前記第３リフレクタから前記第２リフレクタに向かう方向である、請求項１、１２または１３に記載のライトユニット。
【請求項１５】
前記第１光源モジュールは、前記第２リフレクタに接して配置され、
前記第２光源モジュールは、前記第３リフレクタから離れて配置される、請求項１、または１２乃至１４のいずれかに記載のライトユニット。
【請求項１６】
前記第２リフレクタの長さと前記第３リフレクタの長さとが互いに異なる、請求項１、１４、または１５に記載のライトユニット。
【請求項１７】
前記第２リフレクタは、前記第１光源モジュールと向かい合う表面が乱反射面であり、
前記第３リフレクタは、前記第２光源モジュールと向かい合う表面が正反射面である、請求項１、または１４乃至１６のいずれかに記載のライトユニット。
【請求項１８】
前記第２リフレクタは、前記第１光源モジュールと向かい合う表面の一部が傾斜した傾斜面を有する、請求項１、または１４乃至１７のいずれかに記載のライトユニット。
【請求項１９】
前記第３リフレクタは、前記第２光源モジュールと向かい合う表面の一部が傾斜した傾斜面を有する、請求項１、または１４乃至１７のいずれかに記載のライトユニット。
【請求項２０】
前記第１光源モジュールの光出射方向と前記第２光源モジュールの光出射方向とが互いに直交する、請求項１に記載のライトユニット。
【請求項２１】
前記第１リフレクタから一定間隔離れて空間を置いて配置される光学部材をさらに備え、
前記第１リフレクタと前記光学部材との間の空間にはエアーガイドが形成される、請求項１または３に記載のライトユニット。
【請求項２２】
請求項１乃至２１のいずれかに記載のライトユニットを備える照明システム。
【発明の詳細な説明】
【技術分野】
【０００１】
本発明は、ライトユニット及びこれを用いた照明システムに関する。
【背景技術】
【０００２】
一般に、大型ディスプレイ装置の代表には、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）などがある。
【０００３】
自発光型のＰＤＰとは違い、ＬＣＤは、自己発光する発光素子を備えておらず、別のライトユニットが必須である。
【０００４】
ＬＣＤに用いられるライトユニットは、光源の位置によって、エッジ（ｅｄｇｅ）方式のライトユニットと直下方式のライトユニットとに区別される。エッジ方式は、ＬＣＤパネルの左右側面または上下側面に光源を配置し、導光板を用いて光を前面に均一に分散させるため、光の均一性がよく、パネルの超薄型化が可能である。
【０００５】
直下方式は、通常、２０インチ以上のディスプレイに用いられる技術で、パネルの下部に光源を複数個配置するから、エッジ方式に比べて優れた光効率を有し、よって、高輝度を要する大型ディスプレイに主に用いられる。
【０００６】
既存エッジ方式や直下方式のライトユニットの光源にはＣＣＦＬ（Ｃｏｌｄ  Ｃａｔｈｏｄｅ  Ｆｌｕｏｒｅｓｃｅｎｔ  Ｌａｍｐ）を用いてきた。
【０００７】
しかしながら、ＣＣＦＬを用いたライトユニットは、ＣＣＦＬに常に電源が印加されるから相当量の電力を消耗する、ＣＲＴに比べて約７０％レベルの色再現率を示す、水銀の添加により環境汚染を招く、といった欠点があった。
【０００８】
これらの欠点を解消するための代替品として、現在、ＬＥＤ（Ｌｉｇｈｔ  Ｅｍｉｔｔｉｎｇ  ｄｉｏｄｅ）を用いたライトユニットに関する研究が活発に行われている。
【０００９】
ＬＥＤをライトユニットに用いる場合は、ＬＥＤアレイの部分的なオン／オフが可能なため、消耗電力を画期的に低減することができる。なお、ＲＧＢ  ＬＥＤの場合、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）色再現範囲仕様の１００％を上回り、より鮮明な画質を消費者に提供することができる。
【発明の概要】
【発明が解決しようとする課題】
【００１０】
本発明の一実施例は、導光板を省き、非対称的な傾斜面を有するリフレクタを用いて、エアーガイド（ａｉｒ  ｇｕｉｄｅ）を有するライトユニット及びこれを用いた照明システムを提供する。
【００１１】
また、本発明の一実施例は、光源モジュールを非対称的に配置することで、ベゼル（ｂｅｚｅｌ）の大きさを低減することができるライトユニット及びこれを用いた照明システムを提供する。
【課題を解決するための手段】
【００１２】
本発明の一実施例は、一部傾斜面を有する第１リフレクタと、第１リフレクタの両端部にそれぞれ配置される第２、第３リフレクタと、第１リフレクタと第２リフレクタ間に配置される第１光源モジュールと、第１リフレクタと第３リフレクタとの間に配置される第２光源モジュールと、を備え、第１光源モジュールの光出射方向と第２光源モジュールの光出射方向は互いに異なってもよい。
【００１３】
ここで、第１光源モジュールの光出射方向と第２光源モジュールの光出射方向は、互いに直交することができる。
【００１４】
すなわち、第１光源モジュールの光出射方向は、第２リフレクタから第１リフレクタに向かう方向であり、第２光源モジュールの光出射方向は、第３リフレクタから第２リフレクタに向かう方向でよい。
【００１５】
そして、第１光源モジュールに含まれる光源の個数と第２光源モジュールに含まれる光源の個数は互いに異なってもよい。
【００１６】
ここで、第２光源モジュールに含まれる光源の個数は、第１光源モジュールに含まれる光源の個数の１．１から５倍でよい。
【００１７】
また、第１光源モジュールに含まれる光源の光出力強度と第２光源モジュールに含まれる光源の光出力強度は互いに異なってもよい。
【００１８】
ここで、第２光源モジュールに含まれる光源の光出力強度は、第１光源モジュールに含まれる光源の光出力強度の１．１から３倍でよい。
【００１９】
また、第１光源モジュールは、第２リフレクタに接して配置され、第２光源モジュールは第３リフレクタから離れて配置されてもよい。
【００２０】
そして、第２リフレクタの長さと第３リフレクタの長さは互いに異なってもよい。
【００２１】
ここで、第３リフレクタの長さは、第２リフレクタの長さの１．１〜３倍でよい。
【００２２】
また、第２リフレクタは、第１光源モジュールと向かい合う表面の一部が傾斜する傾斜面を有することができ、第３リフレクタは、第２光源モジュールと向かい合う表面の一部が傾斜する傾斜面を有することができる。
【００２３】
また、第２リフレクタは、第１光源モジュールと向かい合う表面が乱反射面でよく、第３リフレクタは、第２光源モジュールと向かい合う表面が正反射面でよい。
また、第１リフレクタは、第１光源モジュールに隣接する第１領域と、第２光源モジュールに隣接する第２領域と、を有し、第１領域の面積と第２領域の面積が互いに異なってもよい。
【００２４】
ここで、第２領域の面積は、第１領域の面積の１．１から２倍でよい。
【００２５】
そして、第１領域は、第１光源モジュールに隣接し、下方に傾斜した第１傾斜面と、第１傾斜面に隣接し、第１傾斜面から上方に傾斜した第２傾斜面と、を有し、第２領域は、第２光源モジュールに隣接し、下方に傾斜した第３傾斜面と、第３傾斜面に隣接し、第３傾斜面から上方に傾斜した第４傾斜面と、を有することができる。
【００２６】
ここで、第１傾斜面は、第１曲率半径を有する曲面で、第２傾斜面は、第２曲率半径を有する曲面で、第３傾斜面は、第３曲率半径を有する曲面で、第４傾斜面は、第４曲率半径を有する曲面でよい。
【００２７】
ここで、第１曲率半径と第３曲率半径が互いに異なり、第２曲率半径と第４曲率半径が互いに異なってもよい。
【００２８】
また、第２曲率半径は第１曲率半径よりも大きく、第４曲率半径は第３曲率半径よりも大きいとよい。
【００２９】
また、第１リフレクタは、第１領域と第２領域との間に第３領域を有し、第３領域の面積は、第１、第２領域の面積よりも小さいとよい。
【００３０】
ここで、第３領域は、凹んだ曲面、膨らんだ曲面、または扁平な平面でよい。
【００３１】
また、第１傾斜面は、曲面と平面を有することができ、第１傾斜面の平面は、第１光源モジュールから出射される光の指向角内に配置されるとよい。
【００３２】
また、上記ライトユニットは、第１リフレクタから一定間隔離れて空間を置いて配置される光学部材をさらに備え、第１リフレクタと光学部材との間の空間にはエアーガイドが形成されてもよい。
【００３３】
そして、本発明の一実施例は、第１、第２領域を有する第１リフレクタと、第１リフレクタの第１領域の端部に配置された第２リフレクタと、第１リフレクタの第２領域の端部に配置された第３リフレクタと、第１リフレクタと第２リフレクタとの間に配置された第１光源モジュールと、第１リフレクタと第３リフレクタとの間に配置された第２光源モジュールと、を備え、第２リフレクタの面積は第３リフレクタの面積よりも小さく、第１リフレクタの第１領域の面積は第１リフレクタの第２領域の面積よりも小さいとよい。
【００３４】
ここで、第１光源モジュールの光出射方向は、第２リフレクタから第１リフレクタに向かう方向であり、第２光源モジュールの光出射方向は第３リフレクタから第２リフレクタに向かう方向でよい。
【発明の効果】
【００３５】
本発明の一実施例によれば、導光板を省き、非対称の傾斜面を有するエアーガイド用リフレクタを形成することによって、軽量、低い製作コスト、均一な輝度といった利点を提供することができる。
【００３６】
また、本発明の一実施例は、相対向する光源モジュールを非対称に配置することによって、ベゼル（ｂｅｚｅｌ）の大きさを減らし、ホットスポット現象を低減することができる。
【００３７】
その結果、ライトユニットの経済性及び信頼性を向上させることができる。
【図面の簡単な説明】
【００３８】
下記の図面を参照して実施例について詳細に説明する。ただし、図面中、同一の要素には同一の参照符号を付する。
【図１】本発明の一実施例に係る２エッジタイプのライトユニットを説明するための断面図である。
【図２】第１、第２光源モジュールの光出射方向を示す断面図である。
【図３Ａ】第１、第２光源モジュールに含まれる光源の個数を示す平面図である。
【図３Ｂ】第１、第２光源モジュールに含まれる光源の個数を示す平面図である。
【図３Ｃ】第１、第２光源モジュールに含まれる光源の個数を示す平面図である。
【図４Ａ】第１、第２光源モジュールに含まれる光源の光出力強度を示す断面図である。
【図４Ｂ】第１、第２光源モジュールに含まれる光源の光出力強度を示す断面図である。
【図４Ｃ】第１、第２光源モジュールに含まれる光源の光出力強度を示す断面図である。
【図５Ａ】第１光源モジュールの位置を示す断面図である。
【図５Ｂ】第１光源モジュールの位置を示す断面図である。
【図５Ｃ】第１光源モジュールの位置を示す断面図である。
【図６Ａ】第２光源モジュールの位置を示す断面図である。
【図６Ｂ】第２光源モジュールの位置を示す断面図である。
【図６Ｃ】第２光源モジュールの位置を示す断面図である。
【図６Ｄ】第２光源モジュールの位置を示す断面図である。
【図７Ａ】第２、第３リフレクタの長さを示す断面図である。
【図７Ｂ】第２、第３リフレクタの長さを示す断面図である。
【図７Ｃ】第２、第３リフレクタの長さを示す断面図である。
【図８Ａ】第２リフレクタの厚さを示す断面図である。
【図８Ｂ】第２リフレクタの厚さを示す断面図である。
【図８Ｃ】第２リフレクタの厚さを示す断面図である。
【図８Ｄ】第２リフレクタの厚さを示す断面図である。
【図８Ｅ】第２リフレクタの厚さを示す断面図である。
【図９Ａ】第３リフレクタの厚さを示す断面図である。
【図９Ｂ】第３リフレクタの厚さを示す断面図である。
【図９Ｃ】第３リフレクタの厚さを示す断面図である。
【図９Ｄ】第３リフレクタの厚さを示す断面図である。
【図９Ｅ】第３リフレクタの厚さを示す断面図である。
【図１０Ａ】反射パターンを有する第２リフレクタを示す断面図である。
【図１０Ｂ】反射パターンを有する第２リフレクタを示す断面図である。
【図１０Ｃ】反射パターンを有する第２リフレクタを示す断面図である。
【図１０Ｄ】反射パターンを有する第２リフレクタを示す断面図である。
【図１１Ａ】反射パターンを有する第３リフレクタを示す断面図である。
【図１１Ｂ】反射パターンを有する第３リフレクタを示す断面図である。
【図１１Ｃ】反射パターンを有する第３リフレクタを示す断面図である。
【図１１Ｄ】反射パターンを有する第３リフレクタを示す断面図である。
【図１２Ａ】第２、第３リフレクタの反射面を示す断面図である。
【図１２Ｂ】第２、第３リフレクタの反射面を示す断面図である。
【図１２Ｃ】第２、第３リフレクタの反射面を示す断面図である。
【図１２Ｄ】第２、第３リフレクタの反射面を示す断面図である。
【図１３】第１リフレクタを示す断面図である。
【図１４Ａ】第１リフレクタの中央領域を示す断面図である。
【図１４Ｂ】第１リフレクタの中央領域を示す断面図である。
【図１４Ｃ】第１リフレクタの中央領域を示す断面図である。
【図１５】第１光源モジュールの指向角による第１リフレクタの表面を示す断面図である。
【図１６Ａ】第１リフレクタの第１傾斜面の平面位置を示す断面図である。
【図１６Ｂ】第１リフレクタの第１傾斜面の平面位置を示す断面図である。
【図１７】光学部材の配置されているライトユニットを示す図である。
【図１８】本発明の一実施例に係るライトユニットを有するディスプレイモジュールを示す図である。
【図１９】本発明の一実施例に係るディスプレイ装置を示す図である。
【図２０】本発明の一実施例に係るディスプレイ装置を示す図である。
【発明を実施するための形態】
【００３９】
以下、本発明の実施例を、添付の図面を参照しつつ説明する。
【００４０】
以下の実施例の説明において、あるエレメント（ｅｌｅｍｅｎｔ）の「上（上部）（ｏｎ）」または「下（下部）（ｕｎｄｅｒ）」に他のエレメントが形成されるという記載は、これらの両エレメントが相互直接（ｄｉｒｅｃｔｌｙ）接触して形成される場合も、これら両エレメントの間に一つ以上のさらに他のエレメントが介在して（ｉｎｄｉｒｅｃｔｌｙ）形成される場合も含むことができる。
【００４１】
また、「上（上部）（ｏｎ）」または「下（下部）（ｕｎｄｅｒ）」と表現される場合に、一つのエレメントを基準に上方を指す場合もあり、下方を指す場合もある。
【００４２】
図１は、本発明の一実施例に係る２エッジタイプのライトユニットを説明するための断面図である。
【００４３】
図１に示すように、ライトユニットは、第１、第２、第３リフレクタ（ｒｅｆｌｅｃｔｏｒ）１００，２００，３００、及び第１、第２光源モジュール４１０，４３０を備えることができる。
【００４４】
ここで、第１リフレクタ１００は、一部に傾斜面を有することができ、向かい合う第１端部（ｅｎｄ  ｐｏｒｔｉｏｎ）及び第２端部を有することができる。
【００４５】
そして、第１リフレクタ１００の第１端部に第２リフレクタ２００を配置し、第１リフレクタ１００の第２端部に第３リフレクタ３００を配置することができる。
【００４６】
また、第１リフレクタ１００と第２リフレクタ２００との間に第１光源モジュール４１０を配置し、第１リフレクタ１００と第３リフレクタ３００との間に第２光源モジュール４３０を配置することができる。
【００４７】
ここで、第１光源モジュール４１０の光出射方向及び第２光源モジュール４３０の光出射方向が互いに異なるように構成することができる。
【００４８】
例えば、第１光源モジュール４１０の光出射方向及び第２光源モジュール４３０の光出射方向は互いに直交するとよい。
【００４９】
すなわち、第１光源モジュール４１０の光出射方向は、第２リフレクタ２００から第１リフレクタ１００に向かう垂直方向であり、第２光源モジュール４３０の光出射方向は、第３リフレクタ３００から第２リフレクタ２００に向かう水平方向でよい。
【００５０】
そして、第１光源モジュール４１０は、電極パターンを有する第１基板４１０ｂと、第１基板４１０ｂ上に配置される少なくとも一つの第１光源４１０ａとを備えることができる。
【００５１】
ここで、第１光源モジュール４１０の第１光源４１０ａは、上面発光型（ｔｏｐ  ｖｉｅｗ  ｔｙｐｅ）発光ダイオードでよい。
【００５２】
場合によって、第１光源４１０ａは、側面発光型（ｓｉｄｅ  ｖｉｅｗ  ｔｙｐｅ）発光ダイオードでもよい。
【００５３】
そして、第１基板４１０ｂを第２リフレクタ２００上に第１方向に配置することができる。
【００５４】
また、第１基板４１０ｂは、ポリエチレンテレフタレート（ＰＥＴ）、ガラス、ポリカーボネート（ＰＣ）、シリコン（Ｓｉ）から選択されたいずれか一物質からなるＰＣＢ（Ｐｒｉｎｔｅｄ  Ｃｉｒｃｕｉｔ  Ｂｏａｒｄ）基板でもよく、フィルム形態のものでもよい。
【００５５】
また、第１基板４１０ｂは、単層ＰＣＢ、多層ＰＣＢ、セラミック基板、メタルコアＰＣＢなどを選択的に使用することができる。
【００５６】
ここで、第１基板４１０ｂは、反射コーティングフィルム及び反射コーティング物質層のいずれか一つが形成されてもよく、第１光源４１０ａで生成された光を第１リフレクタ１００に反射させることができる。
【００５７】
また、第１光源４１０ａは、発光ダイオードチップ（ＬＥＤ  ｃｈｉｐ）でよく、発光ダイオードチップは、ブルーＬＥＤチップまたは紫外線ＬＥＤチップにしてもよく、レッドＬＥＤチップ、グリーンＬＥＤチップ、ブルーＬＥＤチップ、イエローグリーン（Ｙｅｌｌｏｗ  ｇｒｅｅｎ）ＬＥＤチップ、ホワイトＬＥＤチップの少なくとも一つ、または複数個を組み合わせたパッケージ形態にしてもよい。
【００５８】
そして、ホワイトＬＥＤは、ブルーＬＥＤ上にイエロー燐光（Ｙｅｌｌｏｗ  ｐｈｏｓｐｈｏｒ）を結合する、ブルーＬＥＤ上にレッド燐光（Ｒｅｄ  ｐｈｏｓｐｈｏｒ）及びグリーン燐光（Ｇｒｅｅｎ  ｐｈｏｓｐｈｏｒ）を同時に結合する、または、ブルーＬＥＤ上にイエロー燐光、レッド燐光及びグリーン燐光を同時に結合して具現することができる。
【００５９】
また、第２光源モジュール４３０は、電極パターンを有する第２基板４３０ｂと、第２基板４３０ｂ上に配置される少なくとも一つの第２光源４３０ａとを備えることができる。
【００６０】
そして、第２基板４３０ｂは、第３リフレクタ２００上に第１方向と異なる第２方向に配置されるとよい。
【００６１】
ここで、第２光源モジュール４３０の第２光源４３０ａは、上面発光型発光ダイオードでよい。
【００６２】
場合によって、第２光源４３０ａは側面発光型発光ダイオードでもよい。
【００６３】
その他、第２光源モジュール４３０の第２基板４３０ｂ及び第２光源４３０ａは、第１光源モジュール４１０の第１基板４１０ｂ及び第１光源４１０ａと同一なので、詳細な説明は省略する。
【００６４】
また、第１光源モジュール４１０は、第１リフレクタ１００と第２リフレクタ２００との間に配置されるが、第１光源モジュール４１０は第２リフレクタ２００に接するととともに、第１リフレクタ１００から一定間隔離れて配置されるとよい。
【００６５】
場合によって、第１光源モジュール４１０は、第１リフレクタ１００及び第２リフレクタ２００の両方から一定間隔離れて配置されてもよく、第１リフレクタ１００及び第２リフレクタ２００の両方に接して配置されてもよい。
【００６６】
そして、第２光源モジュール４３０は、第１リフレクタ１００と第３リフレクタ３００との間に配置され、第３リフレクタ３００に隣接して配置されるとよい。
【００６７】
場合によって、第２光源モジュール４３０は、第３リフレクタ３００に接するとともに、第１リフレクタ１００から一定間隔離れて配置されてもよく、第１リフレクタ１００に接するとともに、第３リフレクタ３００から一定間隔離れて配置されてもよい。
【００６８】
または、第２光源モジュール４３０は、第１リフレクタ１００及び第３リフレクタ３００の両方から一定間隔離れて配置されてもよく、第１リフレクタ１００及び第３リフレクタ３００の両方に接して配置されてもよい。
【００６９】
また、第１リフレクタ１００と第２リフレクタ２００との間の空間にはエアーガイド（ａｉｒ  ｇｕｉｄｅ）を有するように、第１リフレクタ１００と第２リフレクタ２００は一定間隔離れて向かい合う構成とすることができる。
【００７０】
第１リフレクタ１００と第３リフレクタ３００との間の空間にもエアーガイドを有するように、第１リフレクタ１００と第３リフレクタ３００も一定間隔離れて向かい合う構成とすることができる。
【００７１】
なお、第２、第３リフレクタ２００，３００は、反射コーティングフィルム及び反射コーティング物質層のいずれかで形成され、第１、第２光源モジュール４１０，４３０から生成された光を、第１リフレクタ１００の方向に反射させる役割を果たすことができる。
【００７２】
また、第２、第３リフレクタ２００，３００の表面のうち、第１、第２光源モジュール４１０，４３０に向かい合う表面上には、鋸歯状の反射パターンが形成され、反射パターンの表面は、平面または曲面でよい。
【００７３】
このように第２、第３リフレクタ２００，３００の表面に反射パターンを形成する理由は、第１、第２光源モジュール４１０，４３０で生成された光を第１リフレクタ１００の中央領域に反射させることによって、ライトユニットの中央領域における輝度を増加させるためである。
【００７４】
そして、第２リフレクタ２００の長さＬ１と第３リフレクタ３００の長さＬ２は互いに異なってもよい。
【００７５】
ここで、第２リフレクタ２００の長さＬ１は、第１光源モジュール４１０から第２光源モジュール４３０に向かう方向に位置する両側面間の距離であり、第３リフレクタ３００の長さＬ２は、第２光源モジュール４３０から第１光源モジュール４１０に向かう方向に位置する両側面間の距離である。
【００７６】
ここで、第２リフレクタ２００の長さＬ１は第３リフレクタ３００の長さＬ２よりも短くすることができる。
【００７７】
これは、第１光源モジュール４１０の光出射方向が第１リフレクタ１００に直接向かっているからである。
【００７８】
そのため、第２リフレクタ２００の長さＬ１を減らすことができ、ディスプレイ装置において画面の枠に位置するベゼル（ｂｅｚｅｌ）領域を低減することができる。
【００７９】
例えば、第３リフレクタ３００の長さＬ２を、第２リフレクタ２００の長さＬ１の約１．１〜３倍とすることができる。
【００８０】
第３リフレクタ３００の長さＬ２が短すぎると、ホットスポット（ｈｏｔ  ｓｐｏｔ）が発生し、第３リフレクタ３００の長さＬ２が長すぎると、ベゼル領域が増加するわけである。
【００８１】
場合によって、第２リフレクタ２００の面積と第３リフレクタ３００の面積は互いに異なってもよい。
【００８２】
ここで、第２リフレクタ２００の面積を第３リフレクタ３００の面積よりも小さくすることができる。
【００８３】
また、第１リフレクタ１００は、一部傾斜面を有する第１領域と、一部傾斜面を有する第２領域とを備えることができる。
【００８４】
ここで、第１領域の傾斜面と第２領域の傾斜面は互いに非対称でよい。
【００８５】
例えば、第１リフレクタ１００は、中心線を基準に、第１領域の面積Ｓ１と第２領域の面積Ｓ２とが互いに異なってもよい。
【００８６】
場合によって、第１リフレクタ１００の第１領域の面積Ｓ１を第２領域の面積Ｓ２よりも小さくすることができる。
【００８７】
なお、第１リフレクタ１００の第１領域は、第１、第２傾斜面を有することができ、第１リフレクタ１００の第２領域は、第３、第４傾斜面を有することができる。
【００８８】
ここで、第１傾斜面は、第１光源モジュール４１０及び第２リフレクタ２００と整列（ａｌｉｇｎ）され、下方に傾斜するものでよく、第２傾斜面は、第１傾斜面に隣接し、第１傾斜面から上方に傾斜するものでよい。
【００８９】
そして、第４傾斜面は、第２傾斜面に隣接し、第２傾斜面から下方に傾斜するものでよく、第３傾斜面は、第２光源モジュール４３０及び第３リフレクタ３００と整列され、第４傾斜面に隣接して第４傾斜面から上方に傾斜するものでよい。
【００９０】
ここで、第１傾斜面の面積Ｓ１１と第２傾斜面の面積Ｓ１２とは互いに異なってもよく、例えば、第１傾斜面の面積Ｓ１１を第２傾斜面の面積Ｓ１２よりも小さくすることができる。
【００９１】
また、第３傾斜面の面積Ｓ１３と第４傾斜面の面積Ｓ１４とは互いに異なってもよく、例えば、第３傾斜面の面積Ｓ１３を第４傾斜面の面積Ｓ１４よりも小さくすることができる。
【００９２】
なお、第１傾斜面は第１曲率半径Ｒ１を有する曲面で、第２傾斜面は第２曲率半径Ｒ２を有する曲面で、第３傾斜面は第３曲率半径Ｒ３を有する曲面で、第４傾斜面は第４曲率半径Ｒ４を有する曲面でよい。
【００９３】
ここで、第１曲率半径Ｒ１は第３曲率半径Ｒ３と異なるものでよい。
【００９４】
例えば、第１領域における第１傾斜面の第１曲率半径Ｒ１は、第２領域における第３傾斜面の第３曲率半径Ｒ３よりも小さいとよい。
【００９５】
また、第２傾斜面の第２曲率半径Ｒ２は第４傾斜面の第４曲率半径Ｒ４と異なるものでよく、例えば、第１領域における第２傾斜面の第２曲率半径Ｒ２は、第２領域における第４傾斜面の第４曲率半径Ｒ４よりも小さいとよい。
【００９６】
さらに、第１、第２、第３、第４傾斜面の少なくとも一つは、凹んだ曲面または膨らんだ曲面でもよい。
【００９７】
また、第１傾斜面の第１曲率半径Ｒ１と第２傾斜面の第２曲率半径Ｒ２は互いに異なってもよく、例えば、第１領域における第１傾斜面の第１曲率半径Ｒ１は、第２傾斜面の第２曲率半径Ｒ２よりも小さいとよい。
【００９８】
そして、第３傾斜面の第３曲率半径Ｒ３と第４傾斜面の第４曲率半径Ｒ４は互いに異なってもよく、例えば、第２領域における第３傾斜面の第３曲率半径Ｒ３は、第４傾斜面の第４曲率半径Ｒ４よりも小さいとよい。
【００９９】
このように、第１リフレクタ１００の第１領域に位置する傾斜面の面積及び曲率と第１リフレクタ１００の第２領域に位置する傾斜面の面積及び曲率を互いに非対称にすることができる。
【０１００】
また、第１リフレクタ１００における第１、第３傾斜面には、光を正反射する正反射シートが形成され、第１リフレクタ１００における第２、第４傾斜面には、光を正反射する正反射シート及び光を乱反射する乱反射シートの少なくとも一つが形成されてもよい。
【０１０１】
ここで、第１リフレクタ１００の第１、第３傾斜面に正反射シートを形成する理由は、輝度の弱い第１リフレクタ１００の中央領域へと多量の光を反射することで、均一な輝度を提供するためである。
【０１０２】
また、第１リフレクタ１００の第２、第４傾斜面に乱反射シートを形成する理由は、輝度の弱い第１リフレクタ１００の第２、第４傾斜面で光を乱反射することで、輝度を補償するためである。
【０１０３】
そして、第１リフレクタ１００は、アルミニウム（Ａｌ）、銀（Ａｇ）、金（Ａｕ）、二酸化チタン（ＴｉＯ２）などのように高い反射率を有する金属または金属酸化物を含んでなるとよく、第１リフレクタ１００は、第１、第２、第３、第４傾斜面を形成する物質が互いに異なってもよく、第１、第２、第３、第４傾斜面の表面粗度が互いに異なってもよい。
【０１０４】
例えば、第１リフレクタ１００は、第１、第２、第３、第４傾斜面が同じ物質で形成され、表面粗度は互いに異なることがある。
【０１０５】
または、第１リフレクタ１００は、第１、第２、第３、第４傾斜面が互いに異なる物質で形成され、表面粗度も互いに異なることがある。
【０１０６】
そのため、第１、第２光源モジュールを非対称に配置することによって、ベゼルの大きさを減らすとともに、均一な輝度を提供することができる。
【０１０７】
図２は、第１、第２光源モジュールの光出射方向を示す断面図である。
【０１０８】
図２に示すように、第１光源モジュール４１０は第１リフレクタ１００と第２リフレクタ２００との間に配置され、第２光源モジュール４３０は第１リフレクタ１００と第３リフレクタ３００との間に配置される構成とすることができる。
【０１０９】
ここで、第１光源モジュール４１０の光出射方向及び第２光源モジュール４３０の光出射方向を互いに異ならせることができる。
【０１１０】
例えば、第１光源モジュール４１０の光出射方向と第２光源モジュール４３０の光出射方向とが互いに直交するようにする。
【０１１１】
すなわち、第１光源モジュール４１０は、第１基板４１０ｂ及び第１光源４１０ａを備えるが、第１光源４１０ａの光出射方向は、第２リフレクタ２００から第１リフレクタ１００に向かう垂直方向でよい。
【０１１２】
そして、第２光源モジュール４３０は、第２基板４３０ｂ及び第２光源４３０ａを備えるが、第２光源４３０ａの光出射方向は、第３リフレクタ３００から第２リフレクタ２００に向かう水平方向でよい。
【０１１３】
ここで、第１光源モジュール４１０をカバーする第２リフレクタ２００の長さＬ１は、第２光源モジュール４３０をカバーする第３リフレクタ３００の長さＬ２よりも短くてもよい
【０１１４】
ここで、第２リフレクタ２００の長さＬ１は、第１光源モジュール４１０から第２光源モジュール４３０に向かう方向に位置する両側面間の距離であり、第３リフレクタ３００の長さＬ２は、第２光源モジュール４３０から第１光源モジュール４１０に向かう方向に位置する両側面間の距離である。
【０１１５】
例えば、第３リフレクタ３００の長さＬ２は、第２リフレクタ２００の長さＬ１の約１．１〜３倍でよい。
【０１１６】
これは、第３リフレクタ３００の長さＬ２が短すぎると、ホットスポットが発生し、第３リフレクタ３００の長さＬ２が長すぎると、ベゼル領域が大きくなるためである。
【０１１７】
このように、第１光源４１０ａの光出射方向を第２リフレクタ２００から第１リフレクタ１００に向かう垂直方向にすると、第２リフレクタ２００の長さＬ１を短くすることができ、ディスプレイ装置において画面の枠に位置するベゼル領域を低減することができる。
【０１１８】
図３Ａ乃至図３Ｃは、第１、第２光源モジュールに含まれる光源の個数を示す平面図である。
【０１１９】
図３Ａは、第１光源モジュール４１０に含まれる第１光源４１０ａの個数と第２光源モジュール４３０に含まれる第２光源４３０ａの個数とが同一である実施例であり、図３Ａに示すように、第１光源モジュール４１０は第１リフレクタ１００と第２リフレクタ２００との間に配置され、第２光源モジュール４３０は第１リフレクタ１００と第３リフレクタ３００との間に配置される構成とすることができる。
【０１２０】
ここで、第１光源モジュール４１０は、第１基板４１０ｂと第１光源４１０ａとを備え、第１光源４１０ａの光出射方向は、第２リフレクタ２００から第１リフレクタ１００に向かう垂直方向でよい。
【０１２１】
そして、第２光源モジュール４３０は、第２基板４３０ｂと第２光源４３０ａとを備え、第２光源４３０ａの光出射方向は、第３リフレクタ３００から第２リフレクタ２００に向かう水平方向でよい。
【０１２２】
この場合、第１光源モジュール４１０に含まれる第１光源４１０ａの個数と第２光源モジュール４３０に含まれる第２光源４３０ａの個数とを同一にすることができる。
【０１２３】
また、第１光源モジュール４１０をカバーする第２リフレクタ２００の長さＬ１は、第２光源モジュール４３０をカバーする第３リフレクタ３００の長さＬ２より短くてもよい
【０１２４】
また、第１リフレクタ１００は、第１光源モジュール４１０に隣接する第１領域、及び第２光源モジュール４３０に隣接する第２領域を有することができる。
【０１２５】
ここで、第１リフレクタ１００の第１領域の面積Ｓ１は、第２領域の面積Ｓ２よりも小さいとよい。
【０１２６】
また、第１リフレクタ１００の第１領域は、第１、第２傾斜面を有し、第１リフレクタ１００の第２領域は、第３、第４傾斜面を有することができる。
【０１２７】
ここで、第１傾斜面の面積Ｓ１１は、第２傾斜面の面積Ｓ１２よりも小さく、第３傾斜面の面積Ｓ１３は第４傾斜面の面積Ｓ１４よりも小さいとよい。
【０１２８】
また、図３Ｂは、第１光源モジュール４１０に含まれる第１光源４１０ａの個数が、第２光源モジュール４３０に含まれる第２光源４３０ａの個数よりも多い実施例であり、図３Ｂに示すように、第１光源モジュール４１０に含まれる第１光源４１０ａの個数を、第２光源モジュール４３０に含まれる第２光源４３０ａの個数よりも多くすることができる。
【０１２９】
ここで、第１光源モジュール４１０に含まれる第１光源４１０ａの個数は、第２光源モジュール４３０に含まれる第２光源４３０ａの個数の約１．１から５倍とすることができる。
【０１３０】
また、第１光源モジュール４１０をカバーする第２リフレクタ２００の長さＬ１は、第２光源モジュール４３０をカバーする第３リフレクタ３００の長さＬ２よりも短くてもよい
【０１３１】
また、第１リフレクタ１００は、第１光源モジュール４１０に隣接する第１領域と、第２光源モジュール４３０に隣接する第２領域とを有することができる。
【０１３２】
ここで、第１リフレクタ１００の第１領域の面積Ｓ１と第２領域の面積Ｓ２とを互いに同一にすることができる。
【０１３３】
すなわち、第１光源モジュール４１０に含まれる第１光源４１０ａの個数が、第２光源モジュール４３０に含まれる第２光源４３０ａの個数よりも多いため、第１リフレクタ１００の第１領域の面積Ｓ１と第２領域の面積Ｓ２とを同一に形成することによって、全体的に均一な輝度を提供することができる。
【０１３４】
また、第１リフレクタ１００の第１領域は第１、第２傾斜面を有することができ、第１リフレクタ１００の第２領域は第３、第４傾斜面を有することができる。
【０１３５】
ここで、第１傾斜面の面積Ｓ１１は第２傾斜面の面積Ｓ１２よりも小さく、第３傾斜面の面積Ｓ１３は第４傾斜面の面積Ｓ１４よりも小さいとよい。
【０１３６】
また、図３Ｃは、第１光源モジュール４１０に含まれる第１光源４１０ａの個数が、第２光源モジュール４３０に含まれる第２光源４３０ａの個数よりも少ない実施例であり、図３Ｃに示すように、第１光源モジュール４１０に含まれる第１光源４１０ａの個数を、第２光源モジュール４３０に含まれる第２光源４３０ａの個数よりも少なくすることができる。
【０１３７】
ここで、第２光源モジュール４３０に含まれる第２光源４３０ａの個数は、第１光源モジュール４１０に含まれる第１光源４１０ａの個数の約１．１から５倍とすることができる。
【０１３８】
また、第１光源モジュール４１０をカバーする第２リフレクタ２００の長さＬ１と、第２光源モジュール４３０をカバーする第３リフレクタ３００の長さＬ２とを互いに同一にすることができる。
【０１３９】
すなわち、第２光源モジュール４３０に含まれる第２光源４３０ａの個数が、第１光源モジュール４１０に含まれる第１光源４１０ａの個数よりも多いため、第２リフレクタ２００の長さＬ１と第３リフレクタ３００の長さＬ２とを同一に形成することによって、全体的に均一な輝度を提供することができる。
【０１４０】
なお、第１リフレクタ１００は、第１光源モジュール４１０に隣接する第１領域と、第２光源モジュール４３０に隣接する第２領域とを有することができる。
【０１４１】
ここで、第１リフレクタ１００の第１領域の面積Ｓ１は、第２領域の面積Ｓ２よりも小さいとよい。
【０１４２】
また、第１リフレクタ１００の第１領域は第１、第２傾斜面を有することができ、第１リフレクタ１００の第２領域は第３、第４傾斜面を有することができる。
【０１４３】
ここで、第１傾斜面の面積Ｓ１１は第２傾斜面の面積Ｓ１２よりも小さく、第３傾斜面の面積Ｓ１３は第４傾斜面の面積Ｓ１４よりも小さいとよい。
【０１４４】
このように、第１光源モジュール４１０と第２光源モジュール４３０の個数に応じて、第２、第３リフレクタ２００，３００の長さが可変してもよく、第１リフレクタ１００の第１、第２領域の面積が可変してもよい。
【０１４５】
図４Ａ乃至図４Ｃは、第１、第２光源モジュールに備えられる光源の光出力強度を示す断面図である。
【０１４６】
図４Ａは、第１光源モジュール４１０の第１光源４１０ａからの光出力強度と、第２光源モジュール４３０の第２光源４３０ａからの光出力強度とが同一である実施例であり、図４Ａに示すように、第１光源モジュール４１０は第１リフレクタ１００と第２リフレクタ２００との間に配置され、第２光源モジュール４３０は第１リフレクタ１００と第３リフレクタ３００との間に配置される構成とすることができる。
【０１４７】
ここで、第１光源モジュール４１０は、第１基板４１０ｂと第１光源４１０ａとを備え、第１光源４１０ａの光出射方向は、第２リフレクタ２００から第１リフレクタ１００に向かう垂直方向でよい。
【０１４８】
そして、第２光源モジュール４３０は、第２基板４３０ｂと第２光源４３０ａとを備え、第２光源４３０ａの光出射方向は、第３リフレクタ３００から第２リフレクタ２００に向かう水平方向でよい。
【０１４９】
このとき、第１光源モジュール４１０の第１光源４１０ａからの光出力強度と、第２光源モジュール４３０の第２光源４３０ａからの光出力強度とを、同一にすることができる。
【０１５０】
また、第１光源モジュール４１０をカバーする第２リフレクタ２００の長さＬ１は、第２光源モジュール４３０をカバーする第３リフレクタ３００の長さＬ２よりも短くすることができる。
【０１５１】
また、第１リフレクタ１００は、第１光源モジュール４１０に隣接する第１領域、及び第２光源モジュール４３０に隣接する第２領域を有することができる。
【０１５２】
ここで、第１リフレクタ１００の第１領域の面積Ｓ１は、第２領域の面積Ｓ２よりも小さいとよい。
【０１５３】
また、第１リフレクタ１００の第１領域は第１、第２傾斜面を有し、第１リフレクタ１００の第２領域は第３、第４傾斜面を有することができる。
【０１５４】
ここで、第１傾斜面の面積Ｓ１１は第２傾斜面の面積Ｓ１２よりも小さく、第３傾斜面の面積Ｓ１３は第４傾斜面の面積Ｓ１４よりも小さいとよい。
【０１５５】
また、図４Ｂは、第１光源モジュール４１０の第１光源４１０ａからの光出力強度が、第２光源モジュール４３０の第２光源４３０ａからの光出力強度よりも大きい実施例であり、図４Ｂに示すように、第１光源モジュール４１０の第１光源４１０ａからの光出力強度を、第２光源モジュール４３０の第２光源４３０ａからの光出力強度よりも大きくすることができる。
【０１５６】
ここで、第１光源モジュール４１０の第１光源４１０ａからの光出力強度は、第２光源モジュール４３０の第２光源４３０ａからの光出力強度の約１．１から３倍でよい。
【０１５７】
また、第１光源モジュール４１０をカバーする第２リフレクタ２００の長さＬ１は、第２光源モジュール４３０をカバーする第３リフレクタ３００の長さＬ２よりも短いとよい。
【０１５８】
また、第１リフレクタ１００は、第１光源モジュール４１０に隣接する第１領域、及び第２光源モジュール４３０に隣接する第２領域を有することができる。
【０１５９】
ここで、第１リフレクタ１００の第１領域の面積Ｓ１と第２領域の面積Ｓ２とは互いに同一でよい。
【０１６０】
すなわち、第１光源モジュール４１０の第１光源４１０ａからの光出力強度が第２光源モジュール４３０の第２光源４３０ａからの光出力強度よりも大きいため、第１リフレクタ１００の第１領域の面積Ｓ１と第２領域の面積Ｓ２とを同一に形成することによって、全体的に均一な輝度を提供することができる。
【０１６１】
また、第１リフレクタ１００の第１領域は第１、第２傾斜面を有し、第１リフレクタ１００の第２領域は第３、第４傾斜面を有することができる。
【０１６２】
ここで、第１傾斜面の面積Ｓ１１は第２傾斜面の面積Ｓ１２よりも小さく、第３傾斜面の面積Ｓ１３は第４傾斜面の面積Ｓ１４よりも小さいとよい。
【０１６３】
また、図４Ｃは、第１光源モジュール４１０の第１光源４１０ａからの光出力強度が第２光源モジュール４３０の第２光源４３０ａからの光出力強度よりも小さい実施例であり、図４Ｃに示すように、第１光源モジュール４１０の第１光源４１０ａからの光出力強度を、第２光源モジュール４３０の第２光源４３０ａからの光出力強度よりも小さくすることができる。
【０１６４】
ここで、第２光源モジュール４３０の第２光源４３０ａからの光出力強度は、第１光源モジュール４１０の第１光源４１０ａからの光出力強度の約１．１から３倍でよい。
【０１６５】
また、第１光源モジュール４１０をカバーする第２リフレクタ２００の長さＬ１と第２光源モジュール４３０をカバーする第３リフレクタ３００の長さＬ２とは、互いに同一でよい。
【０１６６】
すなわち、第２光源モジュール４３０の第２光源４３０ａからの光出力強度が第１光源モジュール４１０の第１光源４１０ａからの光出力強度よりも大きいため、第２リフレクタ２００の長さＬ１と第３リフレクタ３００の長さＬ２とを同一に形成することによって、全体的に均一な輝度を提供することができる。
【０１６７】
また、第１リフレクタ１００は、第１光源モジュール４１０に隣接する第１領域、及び第２光源モジュール４３０に隣接する第２領域を有することができる。
【０１６８】
ここで、第１リフレクタ１００の第１領域の面積Ｓ１は第２領域の面積Ｓ２よりも小さいとよい。
【０１６９】
また、第１リフレクタ１００の第１領域は第１、第２傾斜面を有し、第１リフレクタ１００の第２領域は第３、第４傾斜面を有することができる。
【０１７０】
ここで、第１傾斜面の面積Ｓ１１は第２傾斜面の面積Ｓ１２よりも小さく、第３傾斜面の面積Ｓ１３は第４傾斜面の面積Ｓ１４よりも小さいとよい。
【０１７１】
このように、第１光源モジュール４１０と第２光源モジュール４３０の光出力強度に応じて、第２、第３リフレクタ２００，３００の長さが可変してもよく、第１リフレクタ１００の第１、第２領域の面積が可変してもよい。
【０１７２】
図５Ａ乃至図５Ｃは、第１光源モジュールの位置を示す断面図である。
【０１７３】
図５Ａ乃至図５Ｃに示すように、第１光源モジュール４１０は、第１リフレクタ１００と向かい合う第２リフレクタ２００の表面上に配置することができる。
【０１７４】
ここで、第１光源モジュール４１０は、第１基板４１０ｂ及び第１光源４１０ａを備え、第１光源４１０ａの光出射面は、第１リフレクタ１００に向かうように配置され、第１基板４１０ｂは、第２リフレクタ２００に接して配置される構成とすることができる。
【０１７５】
そして、第２リフレクタ２００は、第１リフレクタ１００の端部と向かい合う第１エッジ（ｅｄｇｅ）領域、第１エッジ領域に隣接した中央領域、及び中央領域に隣接した第２エッジ領域を有することができる。
【０１７６】
ここで、第１光源モジュール４１０は、図５Ａに示すように、第２リフレクタ２００の第１エッジ領域に配置されてもよく、図５Ｂに示すように、第２リフレクタ２００の第２エッジ領域に配置されてもよい。
【０１７７】
また、第１光源モジュール４１０は、図５Ｃに示すように、第２リフレクタ２００の中央領域に配置されてもよい。
【０１７８】
例えば、第１光源モジュール４１０は、第２リフレクタ２００の第１側から距離ｄ１を置いて配置し、第２リフレクタ２００の第２側から距離ｄ２を置いて配置することができる。
【０１７９】
ここで、距離ｄ１と距離ｄ２は互いに同一でもよく、場合によっては互いに異なってもよい。
【０１８０】
図６Ａ乃至図６Ｄは、第２光源モジュールの位置を示す断面図である。
【０１８１】
図６Ａは、第１リフレクタ１００及び第３リフレクタ３００の両方から一定間隔離れて配置される第２光源モジュール４３０を示す図であり、図６Ｂは、第１リフレクタ１００及び第３リフレクタ３００の両方に接して配置される第２光源モジュール４３０を示す図であり、図６Ｃは、第３リフレクタ３００に接するとともに、第１リフレクタ１００から一定間隔離れて配置される第２光源モジュール４３０を示す図であり、図６Ｄは、第３リフレクタ３００から一定間隔離れて配置されるとともに、第１リフレクタ１００に接して配置される第２光源モジュール４３０を示す図である。
【０１８２】
図６Ａに示すように、第１光源モジュール４３０は、第３リフレクタ３００から距離ｄ１１を置いて配置し、第１リフレクタ１００から距離ｄ１２を置いて配置することができる。
【０１８３】
ここで、距離ｄ１１及び距離ｄ１２は互いに同一でもよく、互いに異なってもよい。
【０１８４】
例えば、距離ｄ１１は距離ｄ１２よりも小さいとよい。
【０１８５】
これは、距離ｄ１１が距離ｄ１２よりも大きいと、ホットスポットの発生につながることがあるからである。
【０１８６】
また、図６Ｂに示すように、第２光源モジュール４３０が第１リフレクタ１００及び第３リフレクタ３００の両方に接して配置されてもよい。
【０１８７】
ここで、第２光源モジュール４３０は、第１、第３リフレクタ１００，３００に接することによって、ホットスポットを防止し、第２光源モジュール４３０から遠い領域まで光を送ることができる他、全体的なライトユニットの厚さを低減することができる。
【０１８８】
そして、図６Ｃに示すように、第２光源モジュール４３０は、第３リフレクタ３００に接するとともに、第１リフレクタ１００とは距離ｄ１２を置いて配置されてもよい。
【０１８９】
ここで、第２光源モジュール４３０は、第３リフレクタ３００に接することによって、ホットスポットを防止し、第２光源モジュール４３０から遠い領域まで光を送ることができる。
【０１９０】
また、図６Ｄに示すように、第２光源モジュール４３０は、第１リフレクタ１００に接するとともに、第３リフレクタ３００とは距離ｄ１１を置いて配置されてもよい。
【０１９１】
図７Ａ乃至図７Ｃは、第２、第３リフレクタの長さを示す断面図である。
【０１９２】
図７Ａ乃至図７Ｃに示すように、第２リフレクタ２００は第１光源モジュール４１０をカバーし、第３リフレクタ３００は第２光源モジュール４３０をカバーすることができる。
【０１９３】
ここで、第１光源モジュール４１０と第２光源モジュール４３０とは、光出射方向が互いに直交するように配置することができる。
【０１９４】
すなわち、第１光源モジュール４１０の光出射方向は、第２リフレクタ２００から下方に向かう垂直方向でよい。
【０１９５】
そして、第２光源モジュール４３０の光出射方向は、第３リフレクタ３００から第２リフレクタ２００に向かう水平方向でよい。
【０１９６】
この場合、第１光源モジュール４１０をカバーする第２リフレクタ２００の長さＬ１を、第２光源モジュール４３０をカバーする第３リフレクタ３００の長さＬ２よりも短くすることができる。
【０１９７】
ここで、第２リフレクタ２００の長さＬ１は、第１光源モジュール４１０から第２光源モジュール４３０に向かう方向に位置する両側面間の距離であり、第３リフレクタ３００の長さＬ２は、第２光源モジュール４３０から第１光源モジュール４１０に向かう方向に位置する両側面間の距離である。
【０１９８】
例えば、第３リフレクタ３００の長さＬ２は、第２リフレクタ２００の長さＬ１の約１．１から３倍でよい。
【０１９９】
これは、第３リフレクタ３００の長さＬ２が短すぎると、ホットスポットが発生し、第３リフレクタ３００の長さＬ２が長すぎると、ベゼル領域が大きくなるためである。
【０２００】
このように、第１光源４１０ａの光出射方向を、第２リフレクタ２００から下方に向かう垂直方向にすると、第２リフレクタ２００の長さＬ１を短くすることができ、ディスプレイ装置において画面の枠に位置するベゼル領域を減少させることができる。
【０２０１】
また、図７Ａに示すように、第２リフレクタ２００と第３リフレクタ３００は互いに同一線上に配置されてもよく、図７Ｂ及び図７Ｃに示すように、第２リフレクタ２００と第３リフレクタ３００は、互いに異なる線上に配置されてもよい。
【０２０２】
例えば、図７Ａに示すように、第２リフレクタ２００と第３リフレクタ３００は、第２リフレクタ２００の表面から延びる第１延長線と第３リフレクタ３００の表面から延びる第２延長線とがつながるように、互いに同じ高さに配置されてもよい。
【０２０３】
また、図７Ｂ及び図７Ｃに示すように、第２リフレクタ２００及び第３リフレクタ３００は、第２リフレクタ２００の表面から延びる第１延長線と第３リフレクタ３００の表面から延びる第２延長線とがずれるように、互いに異なる高さに配置されてもよい。
【０２０４】
図８Ａ乃至図８Ｅは、第２リフレクタの厚さを示す断面図である。
【０２０５】
図８Ａ乃至図８Ｅに示すように、第２リフレクタ２００の下部表面は、第１１領域及び第１２領域を有し、第１光源モジュール４１０は、第２リフレクタ２００の第１１領域に配置することができる。
【０２０６】
そして、第２リフレクタ２００の第１２領域は、一定角度で傾斜する傾斜面を有することができる。
【０２０７】
ここで、傾斜面の傾斜角度θは、第２リフレクタ２００の上部表面に対して約１〜８５°の角度とすることができる。
【０２０８】
そのため、第２リフレクタ２００の厚さは、第１光源モジュール４１０から遠ざかるほど漸次減少する、または、漸次増加することがある。
【０２０９】
すなわち、第２リフレクタ２００は、第１光源モジュール４１０に隣接した領域の厚さｔ１と第１光源モジュール４１０から遠い領域の厚さｔ２が互いに異なってもよく、例えば、図８Ａ及び図８Ｂに示すように、第１光源モジュール４１０に隣接した領域の厚さｔ１を、第１光源モジュール４１０から遠い領域の厚さｔ２よりも大きくすることができる。
【０２１０】
場合によっては、図８Ｄ及び図８Ｅに示すように、第１光源モジュール４１０に隣接した領域の厚さｔ１を、第１光源モジュール４１０から遠い領域の厚さｔ２よりも小さくすることもできる。
【０２１１】
また、図８Ｃに示すように、第２リフレクタ２００は、第１光源モジュール４１０に隣接した領域の厚さｔ１と第１光源モジュール４１０から遠い領域の厚さｔ２とを同一にしてもよい。
【０２１２】
そして、第２リフレクタ２００の第１２領域には、所定の反射パターンが形成されてもよい。
【０２１３】
図９Ａ乃至図９Ｅは、第３リフレクタの厚さを示す断面図である。
【０２１４】
図９Ａ乃至図９Ｅに示すように、第３リフレクタ３００の下部表面は、第１３領域及び第１４領域を有し、第２光源モジュール４３０は第３リフレクタ３００の第１３領域に配置することができる。
【０２１５】
そして、第３リフレクタ３００の第１４領域は、一定角度で傾斜する傾斜面を有することができる。
【０２１６】
ここで、傾斜面の傾斜角度θは、第３リフレクタ３００の上部表面に対して約１〜８５°の角度とすることができる。
【０２１７】
そのため、第３リフレクタ３００の厚さは、第２光源モジュール４３０から遠ざかるほど漸次減少する、または、漸次増加することがある。
【０２１８】
すなわち、第３リフレクタ３００は、第２光源モジュール４３０に隣接した領域の厚さｔ１１と第２光源モジュール４３０から遠い領域の厚さｔ１２が互いに異なってもよく、例えば、図１０Ａ及び図１０Ｂに示すように、第２光源モジュール４３０に隣接した領域の厚さｔ１１を、第２光源モジュール４３０から遠い領域の厚さｔ１２よりも大きくすることができる。
【０２１９】
場合によっては、図９Ｄ及び図９Ｅに示すように、第２光源モジュール４３０に隣接した領域の厚さｔ１１を、第２光源モジュール４３０から遠い領域の厚さｔ１２よりも小さくしてもよい。
【０２２０】
また、図９Ｃに示すように、第３リフレクタ３００は、第２光源モジュール４３０に隣接した領域の厚さｔ１１と第２光源モジュール４３０から遠い領域の厚さｔ１２とを同一にしてもよい。
【０２２１】
そして、第３リフレクタ３００の第１４領域には所定の反射パターンが形成されてもよい。
【０２２２】
図１０Ａ乃至図１０Ｄは、反射パターンを有する第２リフレクタを示す断面図である。
【０２２３】
図１０Ａ乃至図１０Ｄに示すように、第２リフレクタ２００の下部表面は、第１１領域及び第１２領域を有し、第２リフレクタ２００の第１１領域には第１光源モジュール４１０が配置され、第２リフレクタ２００の第１２領域には第１光源モジュール４１０が配置されない構成とすることができる。
【０２２４】
ここで、第２リフレクタ２００の第１２領域には、所定の反射パターンが形成されてもよい。
【０２２５】
図１０Ａは、反射パターン２１０が鋸歯形状を有し、反射パターン２１０の表面は平面を有する例であり、図１０Ｂ及び図１０Ｃは、反射パターン２１０が鋸歯形状を有し、反射パターン２１０の表面は曲面を有する例である。
【０２２６】
ここで、図１０Ｂは、反射パターン２１０の表面が凹んだ曲面であり、図１０Ｃは、反射パターン２１０の表面が膨らんだ曲面である。
【０２２７】
場合によっては、図１０Ｄに示すように、反射パターン２１０の大きさが漸次増加してもよい。
【０２２８】
このように第２リフレクタ２００上に反射パターン２１０を形成することによって、光の反射効果の他、光を均一に拡散させる拡散効果も得ることができる。
【０２２９】
そのため、このような反射パターン２１０は、ライトの全体輝度分布に応じて、該当の領域に様々な大きさで作製するとよい。
【０２３０】
図１１Ａ乃至図１１Ｄは、反射パターンを有する第３リフレクタを示す断面図である。
【０２３１】
図１１Ａ乃至図１１Ｄに示すように、第３リフレクタ３００の下部表面は、第１３領域と第１４領域を有し、第３リフレクタ３００の第１３領域には第２光源モジュール４３０が配置され、第３リフレクタ３００の第１４領域には第２光源モジュール４３０が配置されない構成とすることができる。
【０２３２】
ここで、第３リフレクタ３００の第１４領域には所定の反射パターンが形成されてもよい。
【０２３３】
図１１Ａは、反射パターン３１０が鋸歯形状を有し、反射パターン３１０の表面は平面を有する例であり、図１１Ｂ及び図１１Ｃは、反射パターン３１０が鋸歯形状を有し、反射パターン３１０の表面は曲面を有する例である。
【０２３４】
ここで、図１１Ｂは、反射パターン３１０の表面が凹んだ曲面であり、図１１Ｃは、反射パターン３１０の表面が膨らんだ曲面である。
【０２３５】
場合によって、図１１Ｄに示すように、反射パターン３１０の大きさが漸次増加してもよい。
【０２３６】
このように第３リフレクタ３００上に反射パターン３１０を形成することによって、光の反射効果の他、光を均一に拡散させる拡散効果も得ることができる。
【０２３７】
そのため、このような反射パターン３１０は、ライトの全体輝度分布に応じて、該当の領域に様々な大きさで作製するとよい。
【０２３８】
図１２Ａ乃至図１２Ｄは、第２、第３リフレクタの反射面を示す断面図である。
【０２３９】
図１２Ａ乃至図１２Ｄに示すように、第２リフレクタ２００の下部表面は、第１１領域と第１２領域を有することができ、第２リフレクタ２００の第１１領域には第１光源モジュール４１０が配置され、第２リフレクタ２００の第１２領域には第１光源モジュール４１０が配置されない。
【０２４０】
そして、第３リフレクタ３００の下部表面は、第１３領域及び第１４領域を含むことができ、第３リフレクタ３００の第１３領域には第２光源モジュール４３０が配置され、第３リフレクタ３００の第１４領域には第２光源モジュール４３０が配置されない。
【０２４１】
ここで、図１２Ａに示すように、第２リフレクタ２００の第１２領域は、光を乱反射させる乱反射面とし、第３リフレクタ３００の第１４領域は、光を正反射させる正反射面とすることができる。
【０２４２】
または、図１２Ｂに示すように、第２リフレクタ２００の第１２領域は、光を正反射させる正反射面とし、第３リフレクタ３００の第１４領域は、光を乱反射させる乱反射面としてもよい。
【０２４３】
場合によって、図１２Ｃに示すように、第２リフレクタ２００の第１２領域及び第３リフレクタ３００の第１４領域をいずれも、光を正反射させる正反射面とし、図１２Ｄに示すように、第２リフレクタ２００の第１２領域及び第３リフレクタ３００の第１４領域をいずれも、光を乱反射させる乱反射面としてもよい。
【０２４４】
図１３は、第１リフレクタを示す断面図である。
【０２４５】
図１３に示すように、第１リフレクタ１００は、第１光源モジュール４１０に隣接した第１領域と、第２光源モジュール４３０に隣接した第２領域とを有することができる。
【０２４６】
ここで、第１リフレクタ１００は、中心線を基準に、第１領域の面積Ｓ１と第２領域の面積Ｓ２とが互いに異なってもよいが、第１リフレクタ１００の第１領域の面積Ｓ１が第２領域の面積Ｓ２よりも小さいとよい。
【０２４７】
例えば、第２領域の面積Ｓ２は、第１領域の面積Ｓ１の約１．１〜２倍でよい。
【０２４８】
また、第１リフレクタ１００の第１領域は、第１、第２傾斜面を有することができ、第１リフレクタ１００の第２領域は、第３、第４傾斜面を有することができる。
【０２４９】
ここで、第１傾斜面は、第１光源モジュール４１０及び第２リフレクタ２００に隣接し、下方に傾斜するものでよく、第２傾斜面は、第１傾斜面に隣接し、第１傾斜面から上方に傾斜するものでよい。
【０２５０】
そして、第３傾斜面は、第２光源モジュール４３０及び第３リフレクタ３００に隣接し、下方に傾斜するものでよく、第４傾斜面は、第３傾斜面に隣接し、第３傾斜面から上方に傾斜するものでよい。
【０２５１】
ここで、第１傾斜面の面積Ｓ１１と第２傾斜面の面積Ｓ１２は互いに異なってもよく、例えば、第１傾斜面の面積Ｓ１１が第２傾斜面の面積Ｓ１２よりも小さいとよい。
【０２５２】
また、第３傾斜面の面積Ｓ１３と第４傾斜面の面積Ｓ１４は互いに異なってもよく、例えば、第３傾斜面の面積Ｓ１３が第４傾斜面の面積Ｓ１４よりも小さいとよい。
【０２５３】
また、第１傾斜面は第１曲率半径Ｒ１を有する曲面で、第２傾斜面は第２曲率半径Ｒ２を有する曲面で、第３傾斜面は第３曲率半径Ｒ３を有する曲面で、第４傾斜面は第４曲率半径Ｒ４を有する曲面でよい。
【０２５４】
ここで、第１曲率半径Ｒ１は第３曲率半径Ｒ３と異なってもよい。
【０２５５】
例えば、第１領域における第１傾斜面の第１曲率半径Ｒ１は、第２領域における第３傾斜面の第３曲率半径Ｒ３よりも小さいとよい。
【０２５６】
また、第２傾斜面の第２曲率半径Ｒ２は第４傾斜面の第４曲率半径Ｒ４と異なってもよく、例えば、第１領域における第２傾斜面の第２曲率半径Ｒ２は、第２領域における第４傾斜面の第４曲率半径Ｒ４よりも小さいとよい。
【０２５７】
さらに、第１、第２、第３、第４傾斜面の少なくともどれ一つは凹んだ曲面または膨らんだ曲面でもよい。
【０２５８】
また、第１傾斜面の第１曲率半径Ｒ１と第２傾斜面の第２曲率半径Ｒ２は互いに異なってもよく、例えば、第１領域における第１傾斜面の第１曲率半径Ｒ１は、第２傾斜面の第２曲率半径Ｒ２よりも小さいとよい。
【０２５９】
そして、第３傾斜面の第３曲率半径Ｒ３と第４傾斜面の第４曲率半径Ｒ４は互いに異なってもよく、例えば、第２領域における第３傾斜面の第３曲率半径Ｒ３は、第４傾斜面の第４曲率半径Ｒ４よりも小さいとよい。
【０２６０】
このように第１リフレクタ１００の第１領域に位置する傾斜面の面積及び曲率と、第１リフレクタ１００の第２領域に位置する傾斜面の面積及び曲率とを互いに非対称にすることができる。
【０２６１】
また、第１リフレクタ１００における第１、第３傾斜面には、光を正反射する正反射シートが形成され、第１リフレクタ１００における第２、第４傾斜面には、光を正反射する正反射シート及び光を乱反射する乱反射シートの少なくとも一つが形成されてもよい。
【０２６２】
ここで、第１リフレクタ１００の第１、第３傾斜面に正反射シートを形成する理由は、輝度の弱い第１リフレクタ１００の中央領域へと多量の光を反射することで、均一な輝度を提供するためである。
【０２６３】
また、第１リフレクタ１００の第２、第４傾斜面に乱反射シートを形成する理由は、輝度の弱い第１リフレクタ１００の第２、第４傾斜面で光を乱反射することで、輝度を補償するためである。
【０２６４】
そして、第１リフレクタ１００は、アルミニウム（Ａｌ）、銀（Ａｇ）、金（Ａｕ）、二酸化チタン（ＴｉＯ２）などのように高い反射率を有する金属または金属酸化物を含んでなるとよく、第１リフレクタ１００は、第１、第２、第３、第４傾斜面を形成する物質が互いに異なってもよく、第１、第２、第３、第４傾斜面の表面粗度が互いに異なってもよい。
【０２６５】
例えば、第１リフレクタ１００は、第１、第２、第３、第４傾斜面が同じ物質で形成され、表面粗度は互いに異なることがある。
【０２６６】
または、第１リフレクタ１００は、第１、第２、第３、第４傾斜面が互いに異なる物質で形成され、表面粗度も互いに異なることがある。
【０２６７】
そのため、第１、第２光源モジュールを非対称に配置することによって、ベゼルの大きさを減らすとともに、均一な輝度を提供することができる。
【０２６８】
図１４Ａ乃至図１４Ｃは、第１リフレクタの中央領域を示す断面図である。
【０２６９】
図１４Ａ乃至図１４Ｃに示すように、第１リフレクタ１００は、第１領域と第２領域との間に第３領域が形成されてもよい。
【０２７０】
ここで、第３領域は、扁平な平面にしてもよく、第５曲率半径Ｒ５を有する曲面にしてもよい。
【０２７１】
そして、第３領域の面積Ｓ３は、第１領域の面積Ｓ１及び第２領域の面積Ｓ２よりも小さくすることができる。
【０２７２】
ここで、第３領域は、第１リフレクタ１００の中央領域に位置するが、第３領域が尖った形状を有すると、光が集中してホットスポットにつながることがあるため、 第３領域を緩やかな形状にすることで、均一な輝度を提供することができる。
【０２７３】
図１４Ａに示すように、第１リフレクタ１００の第３領域は、第５曲率半径Ｒ５を有する凹んだ曲面にすることができる。
【０２７４】
または、図１４ｂに示すように、第１リフレクタ１００の第３領域は、第２、第３リフレクタと平行な平面でもよい。
【０２７５】
場合によって、図１４Ｃに示すように、第１リフレクタ１００の第３領域は、第５曲率半径Ｒ５を有する膨らんだ曲面でもよい。
【０２７６】
このように、第１リフレクタ１００の第３領域は、尖った領域無しで緩やかな形状にすることで、ホットスポット現象を低減し、均一な輝度を提供することができる。
【０２７７】
図１５は、第１光源モジュールの指向角による第１リフレクタの表面を示す断面図である。
【０２７８】
図１５に示すように、第１光源モジュール４１０は、第１リフレクタ１００と向かい合う第２リフレクタ２００の表面上に配置される構成とすることができる。
【０２７９】
ここで、第１光源モジュール４１０は、第１基板４１０ｂと第１光源４１０ａとを備え、第１光源４１０ａの光出射面は、第１リフレクタ１００に向かうように配置され、第１基板４１０ｂは、第２リフレクタ２００に接して配置されている。
【０２８０】
また、第１リフレクタ１００の第１領域は、第１、第２傾斜面を有し、第１傾斜面は、第１光源モジュール４１０及び第２リフレクタ２００に隣接し、下方に傾斜するようにし、第２傾斜面は、第１傾斜面に隣接し、第１傾斜面から上方に傾斜するようにすることができる。
【０２８１】
ここで、第１リフレクタ１００の第１傾斜面は、曲面と平面を有することができ、第１傾斜面における平面は、第１光源モジュール４１０から出射される光の指向角内に配置されるようにすることができる。
【０２８２】
これは、光を第１リフレクタ１００の中央領域へより集中させることによって、輝度を均一にするためである。
【０２８３】
例えば、第１リフレクタ１００の第１傾斜面が、第２１領域、第２２領域、第２３領域を有し、第２１領域及び第２２領域が第１光源モジュール４１０の出射光の指向角内に位置するとすれば、第１傾斜面の平面は、第２１領域及び第２２領域のいずれかに位置すればよい。
【０２８４】
この場合、第１傾斜面における平面は、正反射面でよい。
【０２８５】
このように、第１光源モジュール４１０の出射光の指向角内に第１傾斜面の平面を配置することによって、光を第１リフレクタ１００の中央領域に集中させ、均一な輝度を提供することができる。
【０２８６】
図１６Ａ及び図１６Ｂは、第１リフレクタの第１傾斜面における平面位置を示す断面図である。
【０２８７】
図１６Ａに示すように、第１リフレクタ１００の第１傾斜面は、第２１領域、第２２領域、及び第２３領域を有することができる。
【０２８８】
ここで、第１光源モジュール４１０の出射光の指向角内に、第１傾斜面の第２１領域及び第２２領域が位置するとすれば、第１傾斜面の第２１領域は、凹んだ曲面で、第１傾斜面の第２２領域は扁平な平面でよい。
【０２８９】
場合によっては、第１傾斜面の第２１領域は扁平な平面で、第１傾斜面の第２２領域は凹んだ曲面でもよい。
【０２９０】
そして、第１光源モジュール４１０の出射光の指向角外に位置する第１傾斜面の第２３領域は、凹んだ曲面でよい。
【０２９１】
また、図１６Ｂに示すように、第１光源モジュール４１０の出射光の指向角内に、第１傾斜面の第２１領域、第２２領域、第２３領域が位置することがあり、この場合、第１傾斜面の第２１領域は凹んだ曲面でよく、第１傾斜面の第２２領域及び第２３領域は扁平な平面でよい。
【０２９２】
場合によっては、第１傾斜面の第２１領域は扁平な平面で、第１傾斜面の第２２領域及び第２３領域は凹んだ曲面でもよい。
【０２９３】
このように、第１光源モジュール４１０の出射光の指向角内に第１傾斜面の平面を配置することで、光を第１リフレクタ１００の中央領域に集中させ、均一な輝度を提供することができる。
【０２９４】
図１７は、光学部材が配置されたライトユニットを示す図である。
【０２９５】
図１７に示すように、光学部材６００は、第１リフレクタ１００から一定間隔を置いて配置され、空間を形成することができる。
【０２９６】
この第１リフレクタ１００と光学部材６００との間の空間にはエアーガイドを形成することができる。
【０２９７】
ここで、光学部材６００は上部表面に凹凸パターン６２０を有することができる。
【０２９８】
光学部材６００は、第１、第２光源モジュール４１０，４３０から出射される光を拡散させるためのもので、拡散効果を増加させるために上部表面に凹凸パターン６２０を形成することができる。
【０２９９】
すなわち、光学部材６００は多層に形成することができ、凹凸パターン６２０は、最上層またはいずれか一層の表面に形成すればよい。
【０３００】
そして、凹凸パターン６２０は、第１、第２光源モジュール４１０，４３０に沿って配置される縞状（ｓｔｒｉｐ）にすることができる。
【０３０１】
ここで、凹凸パターン６２０は光学部材６００表面に突出部を有し、突出部は、相対向する第１面及び第２面からなり、第１面と第２面との角は鈍角または鋭角でよい。
【０３０２】
場合によって、光学部材６００は、少なくとも一つのシートからなり、例えば、拡散シート、プリズムシート、輝度強化シートなどを選択的に用いることができる。
【０３０３】
ここで、拡散シートは、光源から出射された光を拡散させ、プリズムシートは、拡散された光を発光領域にガイドし、輝度拡散シートは輝度を強化させる。
【０３０４】
このように、本発明の実施例は、導光板を省き、非対称の傾斜面を有するエアーガイド用リフレクタを形成することによって、軽量、低い製作コスト、均一な輝度といった利点を提供することができる。
【０３０５】
また、本発明の実施例は、相対向する光源モジュールを非対称に配置することで、ベゼル（ｂｅｚｅｌ）の大きさを減少し、ホットスポット現象を減らすことができる。
【０３０６】
その結果、ライトユニットの経済性及び信頼性を向上させることができる。
【０３０７】
また、上記の実施例に記載された第１、第２、第３リフレクタ、及び第１、第２光源モジュールを含む表示装置、指示装置、照明システムを具現することができ、例えば、照明システムとしてはランプ、街灯を挙げることができる。
【０３０８】
このような照明システムは、多数のＬＥＤを集束して光を得る照明灯に用いることができ、特に、建物の天井や壁体内に埋め込まれ、シェードの開口部側が露出されるように装着できる埋め込み灯（ダウンライト）に用いることができる。
【０３０９】
図１８は、本発明の実施例に係るライトユニットを有するディスプレイモジュールを示す図である。
【０３１０】
図１８に示すように、ディスプレイモジュール２０は、ディスプレイパネル８００及びライトユニット７００を備えることができる。
【０３１１】
ディスプレイパネル８００は、均一なセルギャップを維持するようにして互いに相対して貼り合わされたカラーフィルタ基板８１０及びＴＦＴ（Ｔｈｉｎ  Ｆｉｌｍ  Ｔｒａｎｓｉｓｔｏｒ）基板８２０を有し、両基板８１０，８２０の間に液晶層（図示せず）が挟持される。
【０３１２】
そして、ディスプレイパネル８００の上側及び下側にはそれぞれ、上部偏光板８３０及び下部偏光板８４０を配置でき、より詳細には、カラーフィルタ基板８１０の上面に上部偏光板８３０を配置し、ＴＦＴ基板８２０の下面に下部偏光板８４０を配置できる。
【０３１３】
図示してはいないが、ディスプレイパネル８００の側面には、ディスプレイパネル８００を駆動させるための駆動信号を生成するゲート及びデータ駆動部を設けることができる。
【０３１４】
図１９及び図２０は、本発明の一実施例に係るディスプレイ装置を示す図である。
【０３１５】
図１９に示すように、ディスプレイ装置１は、ディスプレイモジュール２０、ディスプレイモジュール２０を覆うフロントカバー３０及びバックカバー３５、及びバックカバー３５に設けられた駆動部５５、及び駆動部５５を覆う駆動部カバー４０で構成することができる。
【０３１６】
フロントカバー３０は、光を透過させる透明な材質の前面パネル（図示せず）を備えることができ、前面パネルは、一定の間隔を置いてディスプレイモジュール２０を保護するとともに、ディスプレイモジュール２０から放出される光を透過させて、ディスプレイモジュール２０で表示される映像を外部から見られるようにする。
【０３１７】
バックカバー３５は、フロントカバー３０と結合してディスプレイモジュール２０を保護することができる。
【０３１８】
バックカバー３５の一面には、駆動部５５を配置できる。
【０３１９】
駆動部５５は、駆動制御部５５ａ、メインボード５５ｂ及び電源供給部５５ｃを備えることができる。
【０３２０】
駆動制御部５５ａは、タイミングコントローラ（ｔｉｍｉｎｇ  ｃｏｎｔｒｏｌｌｅｒ）でよく、ディスプレイモジュール２０の各ドライバＩＣの動作タイミングを調節する駆動部であり、メインボード５５ｂは、タイミングコントローラにＶシンク、Ｈシンク及びＲ、Ｇ、Ｂ解像度信号を伝達する駆動部であり、電源供給部５５ｃは、ディスプレイモジュール２０に電源を印加する駆動部である。
【０３２１】
駆動部５５は、バックカバー３５に設けられ、駆動部カバー４０により覆われる構成とすることができる。
【０３２２】
バックカバー３５は、複数の孔が形成されてディスプレイモジュール２０と駆動部５５とを連結することができ、ディスプレイ装置１を支持するスタンド６０を備えることができる。
【０３２３】
一方、図２０に示すように、駆動部５５の駆動制御部５５ａは、バックカバー３５に設けられ、メインボード５５ｂ及び電源ボード５５０ｃはスタンド６０に設けられてもよい。
【０３２４】
この場合、駆動部カバー４０は、バックカバー３５に設けられた駆動部５５のみを覆えばよい。
【０３２５】
本実施例では、メインボード５５ｂ及び電源ボード５５０ｃを別々に構成したが、一体の統合ボードにしてもよく、これに限定されない。
【０３２６】
さらに他の実施例は、上記の各実施例に記載された第１、第２、第３リフレクタ、及び第１、第２光源モジュールを含む表示装置、指示装置、照明システムとすることができ、例えば、照明システムとしてはランプ、街灯を挙げることができる。
【０３２７】
このような照明システムは、多数のＬＥＤを集束して光を得る照明灯に用いることができ、特に、建物の天井や壁体内に埋め込まれ、シェードの開口部側が露出されるように装着できる埋め込み灯（ダウンライト）に用いることができる。
【０３２８】
以上では具体的な実施例を中心に説明してきたが、それらは単なる例示で、本発明を限定するためのものではない。したがって、本発明の属する分野における通常の知識を有する者には、上記実施例の本質的な特性から逸脱しない範囲で、以上に例示していない種々の変形及び応用が可能であるということが理解できるであろう。例えば、上記の実施例に具体的に示した各構成要素を変形した実施例も可能である。なお、それらの変形及び応用も、添付の特許請求の範囲で規定する本発明の範囲に含まれるものとして解釈すべきである。
【図１】
2013168350.tif 000003
【図２】
2013168350.tif 000004
【図３Ａ】
2013168350.tif 000005
【図３Ｂ】
2013168350.tif 000006
【図３Ｃ】
2013168350.tif 000007
【図４Ａ】
2013168350.tif 000008
【図４Ｂ】
2013168350.tif 000009
【図４Ｃ】
2013168350.tif 000010
【図５Ａ】
2013168350.tif 000011
【図５Ｂ】
2013168350.tif 000012
【図５Ｃ】
2013168350.tif 000013
【図６Ａ】
2013168350.tif 000014
【図６Ｂ】
2013168350.tif 000015
【図６Ｃ】
2013168350.tif 000016
【図６Ｄ】
2013168350.tif 000017
【図７Ａ】
2013168350.tif 000018
【図７Ｂ】
2013168350.tif 000019
【図７Ｃ】
2013168350.tif 000020
【図８Ａ】
2013168350.tif 000021
【図８Ｂ】
2013168350.tif 000022
【図８Ｃ】
2013168350.tif 000023
【図８Ｄ】
2013168350.tif 000024
【図８Ｅ】
2013168350.tif 000025
【図９Ａ】
2013168350.tif 000026
【図９Ｂ】
2013168350.tif 000027
【図９Ｃ】
2013168350.tif 000028
【図９Ｄ】
2013168350.tif 000029
【図９Ｅ】
2013168350.tif 000030
【図１０Ａ】
2013168350.tif 000031
【図１０Ｂ】
2013168350.tif 000032
【図１０Ｃ】
2013168350.tif 000033
【図１０Ｄ】
2013168350.tif 000034
【図１１Ａ】
2013168350.tif 000035
【図１１Ｂ】
2013168350.tif 000036
【図１１Ｃ】
2013168350.tif 000037
【図１１Ｄ】
2013168350.tif 000038
【図１２Ａ】
2013168350.tif 000039
【図１２Ｂ】
2013168350.tif 000040
【図１２Ｃ】
2013168350.tif 000041
【図１２Ｄ】
2013168350.tif 000042
【図１３】
2013168350.tif 000043
【図１４Ａ】
2013168350.tif 000044
【図１４Ｂ】
2013168350.tif 000045
【図１４Ｃ】
2013168350.tif 000046
【図１５】
2013168350.tif 000047
【図１６Ａ】
2013168350.tif 000048
【図１６Ｂ】
2013168350.tif 000049
【図１７】
2013168350.tif 000050
【図１８】
2013168350.tif 000051
【図１９】
2013168350.tif 000052
【図２０】
2013168350.tif 000053